(57)【要約】【課題】保育権を一定期間放棄する人と、急な保育を希望する人とのマッチングを取ること。【解決手段】サーバ１０３は、保育権保持者端末機１０１からの情報により保育園の保育権を保持している人の保育放棄日時および保育園場所をデータベース化し、また、保育希望者端末機１００からの情報により保育希望する人の希望日時および場所の情報をデータベース化し、双方のマッチングをとり、そのマッチング結果により保育権を売買する。【選択図】図１
2007233757.tif 000002
【特許請求の範囲】
【請求項１】
保育園の保育権を保持している人の保育放棄日時および保育園場所をデータベース化し、
保育希望する人の希望日時および場所の情報をデータベース化し、
双方のマッチングをとり、そのマッチング結果により保育権を売買することを特徴とする保育権売買システム。
【請求項２】
前記マッチング結果により保育権の売買が成立すると、保育園の保育権保持者側装置および／または保育園側装置にも保育権料が支払われることを特徴とする請求項１記載の保育権売買システム。
【請求項３】
保育園の保育権を保持している人の保育放棄日時および保育園場所をデータベース化するステップと、
保育希望する人の希望日時および場所の情報をデータベース化するステップと、
双方のマッチングをとるステップと、
そのマッチング結果により保育権を売買するステップを有することを特徴とする保育権売買方法。
【請求項４】
前記マッチング結果により保育権の売買が成立すると、保育園の保育権保持者側装置および／または保育園側装置にも保育権料が支払われるステップを有することを特徴とする請求項３記載の保育権売買方法。
【請求項５】
コンピュータに、保育園の保育権を保持している人の保育放棄日時および保育園場所をデータベース化し、
保育希望する人の希望日時および場所の情報をデータベース化し、
双方のマッチングをとり、そのマッチング結果により保育権を売買する機能を実現させることを特徴とするプログラム。
【請求項６】
前記マッチング結果により保育権の売買が成立すると、保育園の保育権保持者側装置および／または保育園側装置にも保育権料が支払われる処理を実行させることを特徴とする請求項５記載のプログラム。
【発明の詳細な説明】
【技術分野】
【０００１】
本発明は、子供を保育園に預けて保育してもらう権利を売買する技術に関する。
【背景技術】
【０００２】
従来、子供を保育園に預けて保育してもらうことがなされている。
【０００３】
ここで、保育機関での子供の保育を希望する保護者の保護者端末で作成された保育の要望情報を、保護者と保育機関とを仲介する仲介者の仲介者サーバが複数の保育機関端末に公開し、対応可能な場合に応答された保育機関端末の保育機関情報を全て複数仲介者サーバから保護者端末に紹介することで、保育機関での子供の保育を希望する保護者に、要望する条件に合った保育機関を仲介することができる技術が提案されている（例えば、特許文献１参照）。
【特許文献１】特開２００２−２５９７２８号公報
【発明の開示】
【発明が解決しようとする課題】
【０００４】
しかしながら、上述した従来例においては次のような問題点があった。
【０００５】
第１の問題点は、保育園との契約により所定の保育費を支払って、子供を保育園に預けて保育してもらう権利（以下、保育権という）をある一定期間放棄（体調不良や予定があって保育園を休んだ場合）したとしても、その分の保育園に支払っている保育費用は戻ってこないことである。
【０００６】
第２の問題点は、急に保育をしてもらうことが必要になった場合、自分が保育して欲しい時間帯や希望の保育場所に対して、保育士資格のある人がいる、安心した保育環境に子供を預けられる制度がないことである。
【０００７】
第３の問題点は、保育園での保育枠が定員に満たない地域や保育提供能力があるにも関わらず、その利用が有効活用されていないということである。
【０００８】
本発明は、以上説明したこと情に鑑みてなされたものであり、その目的は、保育園の保育権を一定期間放棄する人と、急な保育を希望する人とのマッチングを取ることで保育権を放棄する人には保育権を一定期間放棄した時間に対して、本来戻ってこない保育費用の払い戻しを行い、また、保育を希望する人にとっては、希望の保育時間帯や希望場所で、保育士資格のある人がいる、安心した保育環境に子供を預けられる保育施設を見つけることができるようにすることにある。
【課題を解決するための手段】
【０００９】
上記課題を解決するために、本発明は、保育園の保育権を保持している人の保育放棄日時および保育園場所をデータベース化し、
保育希望する人の希望日時および場所の情報をデータベース化し、
双方のマッチングをとり、そのマッチング結果により保育権を売買する保育権売買システムを提供する。
【００１０】
また、本発明は、保育園の保育権を保持している人の保育放棄日時および保育園場所をデータベース化するステップと、
保育希望する人の希望日時および場所の情報をデータベース化するステップと、
双方のマッチングをとるステップと、
そのマッチング結果により保育権を売買するステップを有する保育権売買方法を提供する。
【００１１】
また、本発明は、コンピュータに、保育園の保育権を保持している人の保育放棄日時および保育園場所をデータベース化し、
保育希望する人の希望日時および場所の情報をデータベース化し、
双方のマッチングをとり、そのマッチング結果により保育権を売買する機能を実現させるプログラムを提供する。
【発明の効果】
【００１２】
本発明によれば、保育園の保育権を一定期間放棄する人と、急な保育を希望する人とのマッチングを取ることができる。
【発明を実施するための最良の形態】
【００１３】
以下、本発明の実施の形態について図面を参照して詳細に説明する。
【００１４】
図１を参照すると、本実施の形態における保育権売買システムは、保育を希望する人の条件を入力する「保育希望者端末機１００」と、保育園の保育権を保持する人の保育可能条件を入力する「保育権保持者端末機１０１」、さらに「保育権保持者端末機１０１」から入力した保育可能条件を保育園側としてチェックする「保育園端末機１０２」、そしてこの保育権売買システムのサービスを提供する「サーバ１０３」とから構成されている。インターネットは、任意のネットワークであってよく、例えば、光ファイバ、公衆回線、ＬＡＮ（Local Area Network）、ＡＤＳＬ（Asymmetric Digital Subscriber Line）等であってもよい。なお、通信方法は、有線であっても、無線であってもよい。
【００１５】
次に、図１及び図２、図３のフローチャートを参照して本実施の形態の全体の動作について詳細に説明する。
【００１６】
まず、保育園の保育権を保持する人の「保育権保持者端末機１０１」から保育権を一時的に放棄する日付、放棄を希望する開始時刻、及び放棄を希望する終了時刻、対象保育園に関する情報（保育園コード、子供を識別する保育園児コード）を「サーバ１０３」に登録する（図２のステップＡ１）。
【００１７】
「サーバ１０３」に登録が完了すると、「保育権保持者端末機１０１」で入力された保育園コードに対する保育園側へ放棄希望情報があることを知らせる電子メールが「サーバ１０３」から発信される。
【００１８】
「サーバ１０３」からの電子メール情報で保育園側は、「保育園端末機１０２」から登録されている保育権放棄情報に対して保育園側で保育可能かどうか、登録内容を確認する（図２のステップＡ２）。
【００１９】
さらに「保育園端末機１０２」から、その確認された登録内容が保育園側で了承できるものであれば、その保育園での保育可能情報案件として問題ないことを電子メールで「サーバ１０３」へ通知する。その場合、「サーバ１０３」に保育可能情報案件として蓄積される。また、入力元にあたる保育園の保育権を保持する人の「保育権保持者端末機１０１」へ、その放棄情報が保育園側でも保育可能案件として了承したことを電子メールで「サーバ１０３」が通知する（図２のステップＡ３）。
【００２０】
万が一、図２のステップＡ２の段階で保育園側が保育不可能であると判断した場合でも、保育可能時と同じ流れで、その不可能である結果とその理由を「保育園端末機１０２」から「サーバ１０３」へ通知する。その通知結果を「保育権保持者端末機１０１」へ通知する（図２のステップＡ３′）。
【００２１】
一方、保育を希望する人は「保育希望者端末機１００」からＷｅｂブラウザを使用してインターネットを経由し「サーバ１０３」へアクセスする。その際、Ｗｅｂブラウザ上に保育を希望する日時、保育希望開始時刻、保育希望終了時刻、保育希望地域を入力し、該当する条件があるかどうか検索する（図２のステップＡ４）。
【００２２】
ここで、「サーバ１０３」に蓄積されている案件データとマッチングをとる（図２のステップＡ５）。マッチング方法は、まず日時に関する情報で、保育希望日でまずはマッチングさせ、次に、場所に関する情報で、ＡＮＤ（アンド）でマッチングを取る。場所に関する具体的なマッチング方法は、登録されている保育園を住所単位でまとめ、その単位をある地域に属させ、地域でマッチングを取る。「保育希望者端末機１００」から入力された保育希望地域情報をもとに「地域」でマッチングをとり、その地域に属している保育園情報を「保育希望者端末機１００」に表示させる。
【００２３】
その結果、保育希望の条件にあう登録内容がマッチすれば、希望保育日時、対象保育園情報（保育園名、住所、連絡先）と各保育園の保育権料を「保育希望者端末機１００」に表示させる（図２のステップＡ６）。マッチングの結果、マッチング情報が複数でた場合は、最終的に保育希望者が最も良いと思われる条件を選択することが可能である。
【００２４】
保育を希望する人は、このマッチした内容で自分が希望する保育提供内容があれば、その提供内容を画面上で選択し、「保育希望者端末機１００」より保育の申し込みを行う（図２のステップＡ７）。
【００２５】
申し込み方法は、マッチした画面には同時に申し込みを受け付けられるページをリンクし、その条件で保育を希望する人は、そのリンクされた申し込みページをクリックし、フォームに従って氏名、住所、連絡先、保育希望情報（保育希望日、保育希望開始時刻、保育希望終了時刻、保育希望保育園名）を入力し「サーバ１０３」へ送信する。その際、申し込みフォーム上には保育権料の支払い案内があり、提示されている期限までに必要保育権料を支払うことが掲載されている。この保育権料の支払いが掲載されている期限までに完了していることが保育権売買成立の条件になる。この支払いタイミングは、図２のステップＡ１０（後述）での「保育希望者端末機１００」に通知が届いた時点から指定された支払い期限までに完了するものとする（図３のステップＢ１）。
【００２６】
「保育希望者端末機１００」から送信された申し込み情報は、「サーバ１０３」へ届き、「サーバ１０３」のサーバ提供者側が確認をした上で、保育依頼をすることになる対象保育園の「保育園端末機１０２」と対象保育園の保育権を保持する人の「保育権保持者端末機１０１」へ保育の申し込みが来たことを電子メールにて通知する（図２のステップＡ８）。
【００２７】
「保育園端末機１０２」から、「サーバ１０３」から通知されてきた内容が保育園側にとって了承できるものであれば、保育園は「保育園端末機１０２」から「サーバ１０３」へ保育の受領了承をメールにて通知する（図２のステップＡ９）。
【００２８】
本システム上、原則としては「保育園端末機１０２」から「サーバ１０３」へ通知がきた内容が、保育園側が了承している内容をサーバ提供者が確認し、さらにサーバ提供者が保育希望者から保育権料を受領完了した場合（図３のステップＢ２）に保育園の保育権の売買が成立する。なお、緊急保育を希望する場合は、必ずしもこの原則に値しないで、保育権料が後払いで保育権の売買が成立する場合もある。この場合はシステムを介さないやりとりも発生するのでここでは説明しない。
【００２９】
最終的に保育園の保育権の売買が成立した場合は、サーバ提供者は「サーバ１０３」から保育を希望する人の「保育希望者端末機１００」と、保育園の「保育園端末機１０２」および保育園の保育権を保持する人の「保育権保持者端末機１０１」に対してそれぞれ電子メールにて通知する。（図２のステップＡ１０）。
【００３０】
保育権売買が成立した時点で、サーバ提供者は保育園側に保育権料を支払う。支払い方法は保育園側が指定する口座への振込みになる。保育園側は、サーバ提供者側から保育園側に支払われる費用を受領する（図３のステップＢ３）。受領確認方法は「保育園端末機１０３」から「サーバ１０３」へ電子メールにてやりとりを行う。
【００３１】
さらに、保育権売買が成立した時点で、サーバ提供者は保育園の保育権を保持する人に保育権料を支払う。支払い方法は保育園の保育権を保持する人が指定する口座への振込みになる。保育園の保育権を保持する人は、サーバ提供者側から保育園の保育権保持者に支払われる費用を受領する（図３のステップＢ４）。受領確認方法は「保育権保持者端末機１０１」から「サーバ１０３」へ電子メールにてやりとりを行う。
【００３２】
上記の本実施の形態によれば、保育園の保育権を放棄（体調不良や他の理由によって保育園を休んだ場合）しても、その分の保育園に支払っている保育費用が戻ってくる。その理由は、保育園の保育権の売買が成立した場合に、その保育権を購入する人から保育権を売る人へ、その保育権の売買によって発生する費用（以下、保育権料とする）が支払われるためである。
【００３３】
また、急に保育をしてもらうことが必要になった場合、自分が保育して欲しい時間帯や希望の保育場所に対して、保育資格のある人がいる、安心した環境で子供が預けられる。その理由は、保育提供者側が保育園である為、必ず保育資格を有する保育士が保育を行うためである。
【００３４】
また、保育園の保有する保育提供のサービス能力を有効活用できる。その理由は、保育園の保育権の売買が成立した場合に、保育希望の人がその保育園を利用することで本来、保育園側が受け入れられるサービス能力に近いレベルまで保育園を利用できる様になるためである。
【００３５】
また、保育園側にも保育権料が支払われ、本来予定のない収入を得ることが可能になる。その理由は、保育園の保育権の売買が成立した場合に、その保育権を購入する人から保育園側へ保育権料が支払われるためである。
【００３６】
なお、上述する実施の形態は、本発明の好適な実施の形態であり、本発明の要旨を逸脱しない範囲内において種々変更実施が可能である。例えば、上記の実施の形態における「保育希望者端末機１００」、「保育権保持者端末機１０１」、「保育園端末機１０２」および「サーバ１０３」の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００３７】
上述する各実施の形態は、「保育希望者端末機１００」、「保育権保持者端末機１０１」、「保育園端末機１０２」および「サーバ１０３」が別個に接続されているシステム構成について説明したが、各機能が１つのコンピュータシステムとして実現されている構成や機能毎に複数の装置などが追加された構成にも適用可能であることはもちろんである。
【００３８】
本発明は、保育園の保育権以外のマッチングとる条件権利に対しての売買を行いたい場合に、その売買条件をそれぞれが登録し、データベース化し、必要な場合にその売買条件からマッチングをとるといった用途に適用できる。また、マッチングがとれた場合に購入する方が支払う金額、又販売する方の販売金額が同時に計算されマッチング時に同時に成立条件として表示する機能を使用するといった用途に適用できる。
【図面の簡単な説明】
【００３９】
【図１】本発明の実施形態における保育権売買システムの構成を示す図である。
【図２】本発明の実施形態における動作を示すフローチャートである。
【図３】本発明の実施形態における保育権の支払い動作を示すフローチャートである。
【符号の説明】
【００４０】
１００    保育希望者端末機
１０１    保育権保持者端末機
１０２    保育園端末機
１０３    サーバ
【図１】
2007233757.tif 000003
【図２】
2007233757.tif 000004
【図３】
2007233757.tif 000005